【手続補正書】
【提出日】平成18年1月19日(2006.1.19)
【手続補正１】
【補正対象書類名】特許請求の範囲
【補正対象項目名】全文
【補正方法】変更
【補正の内容】
【特許請求の範囲】
【請求項１】
１０００〜３０，０００の範囲の数平均分子量、ポリマー鎖当たり５〜２００個の範囲のヒドロキシル基およびポリマー鎖当たり０〜４０個の範囲のカルボキシル基を有する高度分岐コポリエステルポリオールの、１種または複数種の有機溶媒中の溶液を含むラッカーであって、
前記コポリエステルポリオールが、ヒドロキシカルボン酸、ヒドロキシカルボン酸のラクトンおよびそれらの組み合わせからなる群から選択された連鎖延長剤と、１種または複数種の過剰分岐モノマーとを含有するモノマー混合物から重合され、
前記過剰分岐モノマーは、１個のカルボキシル基および２個のヒドロキシル基、２個のカルボキシル基および１個のヒドロキシル基、１個のカルボキシル基および３個のヒドロキシル基、または３個のカルボキシル基および１個のヒドロキシル基を有し、および
前記モノマー混合物中の前記過剰分岐モノマー対前記連鎖延長剤の重量比が１／０．３〜１／２０の範囲である
ことを特徴とするラッカー。
【請求項２】
前記モノマー混合物は、ヒドロキシル、アミン、エポキシド、カルボキシルおよびそれらの組み合わせからなる群から選択される１〜６の範囲内の官能基を有する分子量制御剤をさらに含むことを特徴とする請求項１に記載のラッカー。
【請求項３】
前記モノマー混合物は、２個のカルボキシル基および１個のヒドロキシル基、または３個のカルボキシル基および１個のヒドロキシル基を有する過剰分岐モノマーを含有し、前記高度分岐コポリエステルポリオールはモノエポキシまたはジオールとさらに反応して、前記範囲のヒドロキシル基を有する前記高度分岐コポリエステルポリオールを提供することを特徴とする請求項１に記載のラッカー。
【請求項４】
前記過剰分岐モノマーはジアルキロールプロピオン酸であり、前記ラクトンはカプロラクトンであることを特徴とする請求項１に記載のラッカー。
【請求項５】
前記過剰分岐モノマーはジアルキロールプロピオン酸であり、前記ラクトンはカプロラクトンであり、前記分子量制御剤はペンタエリトリトールまたはトリメチロールプロパンであることを特徴とする請求項２に記載のラッカー。
【請求項６】
前記過剰分岐モノマーはジメチロールプロピオン酸であり、前記ラクトンはカプロラクトンであり、前記分子量制御剤はペンタエリトリトールであることを特徴とする請求項２に記載のラッカー。
【請求項７】
前記ラッカーは、アクリルポリマー、ポリエステル、アルキド樹脂、アクリルアルキド樹脂、セルロースアセテートブチレート、イミノ化アクリルポリマー、エチレン酢酸ビニルコポリマー、ニトロセルロース、可塑剤またはそれらの組み合わせを含むことを特徴とする請求項１または２に記載のラッカー。
【請求項８】
前記ラッカーは、金属乾燥剤、キレート剤またはそれらの組み合わせを更に含むことを特徴とする請求項１または２に記載のラッカー。
【請求項９】
２重量％〜１００重量％の範囲内の前記高度分岐コポリエステルポリオールを含むことを特徴とする請求項１または２に記載のラッカー。
【請求項１０】
５重量％〜５０重量％の範囲内の前記高度分岐コポリエステルポリオールを含むことを特徴とする請求項１または２に記載のラッカー。
【請求項１１】
顔料、フレークまたはそれらの組み合わせを含むことを特徴とする請求項１または２に記載のラッカー。
【請求項１２】
前記高度分岐コポリエステルポリオールは、前記連鎖延長剤および高度分岐モノマーを１工程で重合させることにより製造されることを特徴とする請求項１に記載のラッカー。
【請求項１３】
前記高度分岐コポリエステルポリオールは、前記連鎖延長剤、分子量制御剤および高度分岐モノマーを１工程で重合させることにより製造されることを特徴とする請求項２に記載のラッカー。
【請求項１４】
前記高度分岐コポリエステルポリオールは、最初に前記高度分岐モノマーを重合させ、その後、前記連鎖延長剤を重合させることにより段階的に製造されることを特徴とする請求項１に記載のラッカー。
【請求項１５】
前記高度分岐コポリエステルポリオールは、最初に前記分子量制御剤および前記高度分岐モノマーを重合させ、その後、前記連鎖延長剤を重合させることにより段階的に製造されることを特徴とする請求項２に記載のラッカー。
【請求項１６】
前記高度分岐コポリエステルポリオールは、最初に前記高度分岐モノマーおよび前記連鎖延長剤の一部を重合させ、その後、前記連鎖延長剤の残りを重合させることにより段階的に製造されることを特徴とする請求項１に記載のラッカー。
【請求項１７】
前記高度分岐コポリエステルポリオールは、最初に前記分子量制御剤および前記高度分岐モノマーならびに前記連鎖延長剤の一部を重合させ、その後、前記連鎖延長剤の残りを重合させることにより段階的に製造されることを特徴とする請求項２に記載のラッカー。
【請求項１８】
前記高度分岐コポリエステルポリオールは、最初に前記分子量制御剤および高度分岐モノマーの一部ならびに前記連鎖延長剤の一部を重合させ、その後、前記高度分岐モノマーおよび前記連鎖延長剤の残りを重合させることにより段階的に製造されることを特徴とする請求項２に記載のラッカー。
【請求項１９】
前記高度分岐コポリエステルポリオールは、最初に前記分子量制御剤、前記高度分岐モノマーおよび前記連鎖延長剤の一部を重合させ、その後、前記分子量制御剤、高度分岐モノマーおよび連鎖延長剤の残りを重合させることにより段階的に製造されることを特徴とする請求項２に記載のラッカー。
【請求項２０】
構造式（Ｒ２Ｏ）ｎ−Ｒ４−［Ｃ（ＣＯ）ＯＲ３］ｍを有する１種または複数種の過剰分岐モノマー、および
構造式Ｒ５Ｏ−Ｒ６−Ｃ（Ｏ）ＯＲ７を有するヒドロキシカルボン酸、ヒドロキシカルボン酸のエステルおよびそれらの組み合わせからなる群から選択される連鎖延長剤
（式中、
Ｒ２およびＲ５は、Ｈまたは（Ｏ）ＣＲ８であり、
Ｒ３およびＲ７は、Ｈ、Ｃ１〜１２ヒドロカルビル基またはヒドロキシル置換Ｃ１〜１２ヒドロカルビル基であり、
Ｒ４は、ｍ＋ｎの遊離原子価を有するＣ１〜１２ヒドロカルビル基であり、
Ｒ６は、２つの遊離原子価を有するＣ１〜１２ヒドロカルビル基であり、
Ｒ８は、ＨまたはＣ１〜２００ヒドロカルビル基であり、
ｎ＋ｍは、ｎまたはｍが１であることを条件として３〜６の範囲である）
を含むモノマー混合物を重合させた高度分岐コポリエステルポリオールを含むことを特徴とするラッカー。
【請求項２１】
前記モノマー混合物は、式Ｒ１−Ｚｋを有する分子量制御剤
（式中、
Ｒ１は１〜６の範囲の遊離原子価を有するＣ１〜２００ヒドロカルビル基であり、
Ｚはヒドロキシル、カルボキシル、アミンまたはエポキシ基であり、
ｋは１〜６の範囲である）
をさらに含むことを特徴とする請求項２０に記載のラッカー。
【請求項２２】
基材の表面上に被膜を製造する方法であって、
ラッカーの層を前記基材の前記表面上に塗布する工程と、
前記層を乾燥させて、前記基材の前記表面上に前記被膜を形成する工程と
を含み、
前記ラッカーは、１０００〜３０，０００の範囲の数平均分子量、ポリマー鎖当たり５〜２００個の範囲のヒドロキシル基およびポリマー鎖当たり０〜４０個の範囲のカルボキシル基を有する高度分岐コポリエステルポリオールの、１種または複数種の有機溶媒中の溶液を含み、
前記コポリエステルポリオールが、ヒドロキシカルボン酸、ヒドロキシカルボン酸のラクトンおよびそれらの組み合わせからなる群から選択される連鎖延長剤と、１種または複数種の過剰分岐モノマーとを含有するモノマー混合物から重合され、
前記過剰分岐モノマーは、１個のカルボキシル基および２個のヒドロキシル基、２個のカルボキシル基および１個のヒドロキシル基、１個のカルボキシル基および３個のヒドロキシル基、または３個のカルボキシル基および１個のヒドロキシル基を有し、および
前記モノマー混合物中の前記過剰分岐モノマー対前記連鎖延長剤の重量比が１／０．３〜１／２０の範囲である
ことを特徴とする方法。
【請求項２３】
前記モノマー混合物は、ヒドロキシル、アミン、エポキシド、カルボキシルおよびそれらの組み合わせからなる群から選択される１〜６の範囲内の官能基を有する分子量制御剤をさらに含むことを特徴とする請求項２２に記載の方法。
【請求項２４】
前記ラッカーの前記層上にクリア塗料組成物の層を塗布する工程をさらに含むことを特徴とする請求項２２または２３に記載の方法。
【請求項２５】
前記ラッカーは、着色ベースコート組成物であることを特徴とする請求項２４に記載の方法。
【請求項２６】
前記乾燥工程は周囲条件下で行われることを特徴とする請求項２２または２３に記載の方法。
【請求項２７】
前記乾燥工程は高温で行われることを特徴とする請求項２２または２３に記載の方法。
【請求項２８】
前記ラッカーは着色ベースコート組成物またはクリアコート組成物であることを特徴とする請求項２２または２３に記載の方法。
【請求項２９】
請求項２２または２３に記載の方法により製造されることを特徴とする被覆された基材。